(57)【要約】      （修正有）【課題】音声、赤外線または光センサーを用いて、玄関灯の点灯・消灯または輝度を調節できる、玄関灯の感知制御装置を提供する。【解決手段】玄関灯の感知制御装置１は、光源オン・オフモジュール１１と、輝度制御モジュール１２と、データベース１３と、音声モジュール１４と、解析モジュール１５と、遠隔信号受信モジュール１６と、を含む。これらの各モジュールを通じて、音声、赤外線または光センサー方式により、玄関灯のオン・オフまたは照度調節の目的を達成する。同時に解析モジュール１５及び遠隔信号受信モジュール１６を介して、点灯信号、消灯信号、増光調節信号または減光調節信号が光源オン・オフモジュール１１または輝度制御モジュール１２に伝送された場合、光源オン・オフモジュール１１または輝度制御モジュール１２は解析モジュール１５からの伝送信号のみを受け入れる。【選択図】図１
0003197058.tif 000002
【実用新案登録請求の範囲】
【請求項１】
内部に光源を有し、玄関灯の内部に取り付ける玄関灯の感知制御装置であって、
前記光源と電気的に導通し、前記光源のオン・オフを制御する、光源オン・オフモジュールと、
前記光源と電気的に導通し、前記光源の増光・減光を制御する、輝度制御モジュールと、
複数の第１信号データと、複数の第２信号データと、複数の第３信号データと、複数の第４信号データとを内部に格納するデータベースと、
外部から複数の音声情報を受信し、複数の信号情報に変換する音声モジュールと、
前記音声モジュールと、前記データベースと、前記光源オン・オフモジュールと、前記輝度制御モジュールと電気的に導通し、前記音声モジュールから発信する信号データを受信し、受信した信号データを前記データベースに格納された複数の第１信号データ、複数の第２信号データ、複数の第３信号データ及び複数の第４信号データに対して比較を行い、いずれかの第１信号データに合致している場合は、点灯信号を前記光源オン・オフモジュールに送って前記光源を点灯させ、いずれかの第２信号データに合致している場合は、点灯信号を前記光源オン・オフモジュールに送って前記光源を消灯させ、いずれかの第３信号データに合致している場合は、増光信号を前記輝度制御モジュールに送って前記光源の輝度を増光させ、いずれかの第４信号データに合致している場合は、減光信号を前記輝度制御モジュールに送って前記光源の輝度を減光させる解析モジュールと、
前記光源オン・オフモジュール及び前記輝度制御モジュールと電気的に導通し、携帯装置から伝送される点灯信号、消灯信号、増光信号または減光信号を受信し、それら受信した信号をさらにそれぞれ対応する前記光源オン・オフモジュール及び前記輝度制御モジュールに伝送することにより前記光源のオン・オフまたは増光・減光を制御する遠隔信号受信モジュールとを備え、
前記解析モジュールと、前記遠隔信号受信モジュールとから点灯信号、消灯信号、増光信号または減光信号が前記光源オン・オフモジュール及び前記輝度制御モジュールに同時伝送された場合、前記光源オン・オフモジュールまたは前記輝度制御モジュールが前記解析モジュールから伝送される信号のみを受け入れることを特徴とする、玄関灯の感知制御装置。
【請求項２】
前記光源オン・オフモジュール及び前記輝度制御モジュールと電気的に導通しており、検出した赤外線源及び赤外線源の移動によって、点灯信号、消灯信号、増光信号または減光信号を対応の前記光源オン・オフモジュール及び前記輝度制御モジュールへと送信する必要性を判断し、前記光源のオン・オフまたは増光・減光の自動制御を行う赤外線検出モジュールをさらに含むことを特徴とする、請求項１記載の玄関灯の感知制御装置。
【請求項３】
前記光源オン・オフ及び前記輝度制御モジュールと電気的に導通しており、前記解析モジュール、前記遠隔信号受信モジュール及び前記赤外線検出モジュールのいずれか２つまたはその全部から点灯信号、消灯信号、増光信号または減光信号が前記光源オン・オフモジュール及び前記輝度制御モジュールに同時に送信された場合、前記赤外線検出モジュールよりも前記解析モジュールを優先し、前記遠隔信号受信モジュールによりも前記赤外線検出モジュールを優先する順番によって入力権限を振り分け、入力権限を得られた前記解析モジュールまたは前記遠隔信号受信モジュールのみが点灯信号、消灯信号、増光信号または減光信号を前記光源オン・オフモジュール及び前記輝度制御モジュールに伝送するように制御するマイコン制御モジュールをさらに含むことを特徴とする、請求項２記載の玄関灯の感知制御装置。
【請求項４】
前記光源オン・オフモジュールと電気的に導通しており、周りの環境光線の強さを検出することができ、光線が強い場合は、前記光源がオンされないように、前記光源オン・オフモジュールに伝送されるすべての信号を遮断する光センサーモジュールをさらに含むことを特徴とする、請求項３記載の玄関灯の感知制御装置。
【請求項５】
前記音声モジュール、前記音声情報を時間間隔に従って複数のフレームに分けた上で、それらのフレームをフーリエ変換して音声情報を生成し、それらの音声情報から複数の特徴値を抽出し、該複数の特徴値をそれぞれ第１信号データ、第２信号データ、第３信号データ及び第４信号データと比較し、前記時間間隔は０．２〜０．５秒であることを特徴とする、請求項４記載の玄関灯の感知制御装置。
【請求項６】
前記音声モジュールは音声周波数が８５〜３９０Ｈｚの前記音声情報のみを受信することを特徴とする、請求項５記載の玄関灯の感知制御装置。
【考案の詳細な説明】
【技術分野】
【０００１】
本考案は電灯制御装置の分野に関し、特に音声、赤外線または光センサーを用いた玄関灯の感知制御装置に関する。
【背景技術】
【０００２】
一般に個人の住居またはその他場所の室内階段、玄関などの場所は比較的に暗いため、通常はそれらの場所に照明灯を取り付けて、人がその場所を通過するときに照明装置を点けて明るくする。使用するときにはスイッチのオン・オフによって発光制御が行われている。しかし、このような設計は使用者が多くの制限を受けることになる。一例として、使用者は公知のＬＥＤ照明装置の明暗度を調節することができない。そのうえに、真っ暗な環境において壁面のスイッチを探ることになるか、または使用者が行動を制限された人のようになる。公知のＬＥＤ照明装置ではそのような不便や困難を解決することができず、極めて不便である。
【考案の概要】
【考案が解決しようとする課題】
【０００３】
また、一般に、室内光源は自然的な光源と、人工的な光源に分けることができる。自然的な光源は不安定な光源であるため、安定な照明条件を必要とする場合には、不足分を人工的な光源で補う必要がある。現在のＬＥＤ照明装置は周りの明暗度を検出する機能を備えていない。そのため、使用者は所在の環境の輝度が必要な照明度要求を満たしているかを知ることができない。さらに調光するときに容易にフリッカを引き起こしてしまい、安定性を欠ける。その他に、日常生活において、電気の消し忘れもしばしば起きる。電灯に自動点灯・消灯機能はなく、電灯光源が長時間点灯状態になりがちであり、電気を浪費してしまう状況にある。
【課題を解決するための手段】
【０００４】
この点について、考案者は完備していないところを鋭意研究し、かかる産業において長年蓄積された経験をもとに、玄関灯の感知制御装置を考案し、前述した公知技術の欠点の改善を図ろうとするものである。
【０００５】
本考案の一目的は、音声、赤外線または光センサーを用いて、玄関灯の点灯・消灯または輝度を調節できる、玄関灯の感知制御装置を提供する。
【０００６】
前述目的を達成するため、本考案の玄関灯の感知制御装置は、光源オン・オフモジュールと、輝度制御モジュールと、データベースと、音声モジュールと、解析モジュールと、遠隔信号受信モジュールと、赤外線検出モジュールと、マイコン制御モジュールと、光センサーモジュールと、を備える。前記光源オン・オフモジュールは光源と電気的に導通し、光源のオン・オフを制御する。前記輝度制御モジュールは、光源のフリッカを防止するためにパルス幅変調（ＰＷＭ）を利用して、光源の増光・減光を制御する。
【０００７】
前記データベースは、複数の第１信号データと、複数の第２信号データと、複数の第３信号データと、複数の第４信号データとを格納している。前記音声モジュールは、外部から複数の音声情報を受信し、それらの音声情報を時間間隔に従い、複数のフレームに分け、それらのフレームをフーリエ変換して、音声情報を形成する。さらに、それらの音声情報から複数の特徴値を抽出し、前記特徴値をそれぞれ第１信号データと、第２信号データと、第３信号データと、第４信号データとに対して比較を行う。そのうち、時間間隔は０．２〜０．５秒である。前記音声モジュールは、音声周波数が８５〜３９０Ｈｚの音声情報を受信する。
【０００８】
前記解析モジュールは、それぞれ音声モジュール、データベース、光源オン・オフモジュール、輝度制御モジュールと電気的に導通し、解析モジュールが音声モジュールから発信する信号データを受信し、信号データをそれぞれデータベースに格納されている複数の第１信号データと、複数の第２信号データと、複数の第３信号データと、複数の第４信号データと比較を行い、もし、いずれかの第１信号データに合致している場合は、点灯信号を光源オン・オフモジュールに送って光源を点灯させる。もし、いずれかの第２信号データに合致している場合は、点灯信号を光源オン・オフモジュールに送って光源を消灯させる。もし、いずれかの第３信号データに合致している場合は、増光信号を輝度制御モジュールに送って光源の輝度を増光させる。もし、いずれかの第４信号データに合致している場合は、減光信号を輝度制御モジュールに送って光源の輝度を減光させる。
【０００９】
前記遠隔信号受信モジュールは、光源オン・オフモジュール及び輝度制御モジュールと電気的に導通し、携帯装置から伝送される点灯信号、消灯信号、増光信号または減光信号を受信する。一例として、携帯装置は携帯電話、ノートパソコンまたはタブレット装置の形で実施することができる。前述の信号をさらにそれぞれ対応する光源オン・オフモジュール及び輝度制御モジュールに伝送して、光源のオン・オフまたは増光・減光を制御する。解析モジュールと、遠隔信号受信モジュールとから点灯信号、消灯信号、増光信号または減光信号が光源オン・オフモジュール及び輝度制御モジュールに同時伝送された場合、光源オン・オフモジュールまたは輝度制御モジュールは解析モジュールから伝送される信号のみを受け入れる。
【００１０】
本考案は、光源オン・オフモジュール及び輝度制御モジュールと電気的に導通しており、検出された赤外線源と赤外線源の移動によって、点灯信号、消灯信号、増光信号または減光信号を対応する光源オン・オフモジュール及び輝度制御モジュールへの送信必要性を判断し、光源のオン・オフまたは増光・減光の自動制御を行う赤外線検出モジュールをさらに含む。
【００１１】
前記マイコン制御モジュールは、光源オン・オフ及び輝度制御モジュールと電気的に導通し、解析モジュール、遠隔信号受信モジュール及び赤外線検出モジュールのうちのいずれか２つまたはその全部から点灯信号、消灯信号、増光信号または減光信号を光源オン・オフモジュール及び輝度制御モジュールに同時に送信された場合、前記マイコン制御モジュールは赤外線検出モジュールよりも解析モジュールを優先し、さらに遠隔信号受信モジュールよりも赤外線検出モジュールを優先する順番により、それぞれに入力権限を振り分け、入力権限を得られた解析モジュールまたは遠隔信号受信モジュールのみが点灯信号、消灯信号、増光信号または減光信号を光源オン・オフモジュール及び輝度制御モジュールに伝送する。
【００１２】
前記光センサーモジュールは、光源オン・オフモジュールと電気的に導通していて、光センサーモジュールは周りの環境光線の強さを検出することができ、もし、光線が強い場合は、光源がオンされないように、光源オン・オフモジュールに伝送されるすべての信号を遮断する。
【００１３】
そのうち、データベースは挨拶音声信号をさらに有しており、光源オン・オフモジュールによって光源をオンしたときに、音声モジュールに再生命令を伝送し、音声挨拶信号を再生させる。
【００１４】
このように、本考案はオン・オフを手動で操作することなく、音声、遠隔制御または赤外線を通じて、光源の増光・減光及びオン・オフを制御することができるため、公知技術が使用者にもたらした種々の不便は解決されると共に、光センサー機能を有しているため、外部環境の輝度に必要な照明を決定し、さらに、フリッカを避けるためパルス幅変調（ＰＷＭ）を利用している。
【図面の簡単な説明】
【００１５】
【図１】本考案の第１実施形態のブロック図である。
【図２】本考案の第２実施形態のブロック図である。
【図３】本考案における音声方式の利用を示す図である。
【考案を実施するための形態】
【００１６】
審査官殿に本考案の内容を明確に理解していただけるよう、以下は図面を合わせて説明すると共に、同じ部材には同じ符号を用いる。
【００１７】
＜第１実施形態＞
図１に本考案の第１実施形態のブロック図を示す。図１に示すように、本実施形態に係る玄関灯の感知制御装置１は、光源オン・オフモジュール１１と、輝度制御モジュール１２と、データベース１３と、音声モジュール１４と、解析モジュール１５と、遠隔信号受信モジュール１６と、を備える。光源オン・オフモジュール１１は光源２１と電気的に導通しており、光源のオン・オフを制御する。輝度制御モジュール１２は、光源２１のフリッカを防止するためにパルス幅変調（ＰＷＭ）を利用して、光源２１の増光・減光を制御する。
【００１８】
データベース１３は、複数の第１信号データと、複数の第２信号データと、複数の第３信号データと、複数の第４信号データとを内蔵している。音声モジュール１４は、外部から複数の音声情報３を受信して、複数の信号情報に変換する。
【００１９】
解析モジュール１５は、それぞれ音声モジュール１４と、データベース１３と、光源オン・オフモジュール１１と、輝度制御モジュール１２とに電気的に導通しており、解析モジュール１５が音声モジュール１４から発信する信号データを受信した後に、信号データをそれぞれデータベース１３に格納している複数の第１信号データ、複数の第２信号データ、複数の第３信号データ及び複数の第４信号データとの比較を行い、もし、いずれかの第１信号データに合致している場合は、点灯信号を光源オン・オフモジュール１１に送って光源２１を点灯させる。もし、いずれかの第２信号データに合致している場合は、点灯信号を光源オン・オフモジュール１２に送って光源２１を消灯させる。もし、いずれかの第３信号データに合致している場合は、増光信号を輝度制御モジュールに送って光源２１の輝度を増光させる。もし、いずれかの第４信号データに合致している場合は、減光信号を輝度制御モジュール１２に送って光源２１の輝度を減光させる。
【００２０】
遠隔信号受信モジュール１６は、光源オン・オフモジュール１１及び輝度制御モジュール１２と電気的に導通しており、携帯装置４から伝送される点灯信号、消灯信号、増光信号または減光信号を受信する。一例として、携帯装置４は携帯電話、ノートパソコンまたはタブレットコンピュータとして実施することができる。前述信号をさらにそれぞれ対応の光源オン・オフモジュール１１及び輝度制御モジュール１２に伝送して、光源２１のオン・オフまたは増光・減光を制御する。解析モジュール１５と、遠隔信号受信モジュール１６から点灯信号、消灯信号、増光信号または減光信号が光源オン・オフモジュール及び輝度制御モジュールに同時伝送された場合、光源オン・オフモジュール１１または輝度制御モジュール１２は解析モジュール１５から伝送される信号のみを受け入れる。
【００２１】
続いて、図３に示す本考案による音声方式の利用を示す図を参照する。一例として、使用者が家に帰ってドアを開けて玄関に入り、玄関灯２を点ける場合、点灯という音声情報３を発信する。音声モジュール１４は音声情報３を受信して、装置によって認識できる信号情報へと解析モジュール１５にて変換した後、それぞれ複数の第１信号データと、複数の第２信号データと、複数の第３信号データと、複数の第４信号データの比較が行われる。本実施例において、信号情報が点灯信号に合致する第１信号データを突き止めた後は、解析モジュール１５によって点灯信号を光源オン・オフモジュール１１に送信し、光源２１を点灯させる。そして、消灯、増光または減光も同じ方式で行われる。ここで特に注意すべきことは、使用者は例えば、こんにちは、お入りください、さようなら又はスリッパーを履いてくださいなど、点灯、消灯、消灯、増光または減光と関係のない音声を発信した場合、解析モジュール１５での比較によって、第１信号データ、第２信号データ、第３信号データ、第４信号データのいずれも合致しないと判断された場合、信号を光源オン・オフモジュール１１または輝度制御モジュール１２に信号を送信されないため、光源２１は動作しない。これによって、誤動作防止の効果を達成できる。さらに、データベース１３は挨拶音声信号をさらに格納しており、光源オン・オフモジュール１１によって光源２１をオンしたときに、音声モジュール１４に再生命令をフィードバックし、音声モジュール１４に音声挨拶信号を再生させる。このようにすることにより、使用者が帰宅したときや出かけるとき、人間性と温かさを感じることができるほか、空き巣を狙う不審者は家に人が居ると勘違いするため、空き巣の阻止効果をも達成できる。さらに、本考案の調光方式は、比較的に安定したパルス幅変調（ＰＷＭ）方式を使用しており、公知技術のように調光するときに、電源電圧の変動によるフリッカ効果で干渉を受けることはない。
【００２２】
さらに、使用者が外出中であっても携帯装置４を用いて、玄関灯２の点灯・消灯制御ができる。この場合は、携帯装置４のブルートゥース、ＷｉＦｉまたはＺｉｇｂｅｅ（登録商標）方式等を利用し、点灯信号を遠隔信号受信モジュール１６に伝送し、遠隔信号受信モジュール１６がさらに点灯信号を光源オン・オフモジュール１１に伝送して、光源２１を点灯させる。一方、消灯するときも同じ方法を利用できる。もし、使用者の体の不具合または音声方式による玄関灯２の制御ができない場合は、携帯装置４を利用して、玄関灯２の点灯・消灯または増光・減光制御することができる。そして、同時に解析モジュール１５と、遠隔信号受信モジュール１６から点灯信号、消灯信号、増光信号または減光信号が光源オン・オフモジュール１１または輝度制御モジュール１２に送信された場合、光源オン・オフモジュール１１または輝度制御モジュール１２は、解析モジュール１５から伝送された信号のみを受け入れる。これにより、使用者とその家族から出す指令の食い違いまたは子供のいたずらによる指令の誤送信を避けることができ、使用効率が向上される。
【００２３】
＜第２実施形態＞
続いて図２に示す本考案の第２実施形態のブロック図を参照する。図２に示すように、第１実施形態に言及されたモジュールのほかに、本実施形態では、光源オン・オフモジュール１１及び輝度制御モジュール１２と電気的に導通しており、検出した赤外線源と赤外線源の移動によって、点灯信号、消灯信号、増光信号または減光信号を対応の光源オン・オフモジュール１１及び輝度制御モジュール１２へと送信する必要性を判断し、光源２１のオン・オフまたは増光・減光の自動制御を行う赤外線検出モジュール１７と、光源オン・オフモジュール１１及び輝度制御モジュール１２に電気的に導通していて、かつ継続的に光源オン・オフモジュール１１及び輝度制御モジュール１２に入力されるすべての信号を監視し、解析モジュール１５、遠隔信号受信モジュール１６及び赤外線検出モジュール１７のうち、いずれかの２つ又はその全てから点灯信号、消灯信号、増光信号または減光信号が光源オン・オフモジュール１１または輝度制御モジュール１２に送信された場合、赤外線検出モジュール１７よりも解析モジュール１５を優先し、さらに遠隔信号受信モジュール１６よりも赤外線検出モジュール１７を優先する順番により、それぞれ入力権限を振り分け、入力権限を得られた解析モジュール１５または遠隔信号受信モジュール１６のみが点灯信号、消灯信号、増光信号または減光信号を光源オン・オフモジュール１１及び輝度制御モジュール１２に伝送するように制御する、マイコン制御モジュール１８と、をさらに含む。
【００２４】
一例を挙げると、使用者が玄関に足を踏み入れたときに、音声信号または携帯装置４で玄関灯２の制御が行われない場合、赤外線検出モジュール１７は自動に使用者から放出する赤外線を検出し、点灯信号を光源オン・オフモジュール１１に送信して、玄関灯２を点灯させる。さらに、使用者がドアの外側または応接間に移動すると、赤外線検出モジュール１７は赤外線源の移動によって、使用者が出かけたことまたは玄関を離れたことを検出し、減光信号を輝度制御モジュール１２に送信し、玄関灯２の輝度を使用者の移動に応じて次第に減光させ、さらに、赤外線検出モジュール１７は使用者から発信する赤外線が一定程度に低下したことを検出した場合、再び消灯信号を光源オン・オフモジュール１１に送信して、玄関灯２を消灯させる。このように、音声方式または重い荷物を持っていて、携帯装置４を操作できない場合であっても、玄関灯２のオン・オフまたは増光・減光制御ができる。さらに、マイコン制御モジュール１８によって調節制御されているため、解析モジュール１５、遠隔信号受信モジュール１６、赤外線検出モジュール１７のうち、いずれかの２つまたはそのすべてが信号を光源オン・オフモジュール１１または輝度制御モジュール１２に送信された場合、マイコン制御モジュール１８は前述方式によって、入力権限を振り分け、入力権限を与えられたモジュールによる信号を順調に送信できる。この例において、使用者は外から玄関に入るときの点灯制御は音声方式でないため、赤外線方式によって玄関灯２の点灯が行われる。さらに、玄関を離れる場合、使用者から消灯の音声情報３を発信すると、解析モジュール１５からは消灯信号が光源オン・オフモジュール１１に、赤外線検出モジュール１７よりは減光信号が輝度制御モジュール１２に伝送されるため、マイコン制御モジュール１８は設定していた優先順位に従って、赤外線検出モジュール１７から伝送される信号を遮断して、解析モジュール１５から伝送される信号を光源オン・オフモジュール１１に転送して、玄関灯２を消灯させる。
【００２５】
本実施形態は、光源オン・オフモジュール１１と電気的に導通していて、周りの環境光線の強さを検出することができ、もし、光線が強い場合は、光源がオンされないように、光源オン・オフモジュール１１に伝送されるすべての信号を遮断する光センサーモジュール１９をさらに含む。かかる光センサーモジュール１９を利用することによって、電気消費を軽減できる。なぜならば、一般に光源は自然的な光源と、人工的な光源に分けることができる。自然光は不安定な光源であるため、安定な照明条件を求める場合、不足分を人工的な光源で補う必要がある。よって、外部環境に充分な輝度がある場合、玄関灯２を点けて輝度を向上する必要はない。このとき、光センサーモジュール１９によって、光源オン・オフモジュール１１に伝送されるすべての信号を遮断することにより、玄関灯２が勝手に点灯されず、浪費されるはずの電気を軽減することができる。
【００２６】
このほかに、音声モジュール１４は音声情報３を時間間隔に従い複数のフレームに分けた後、それらのフレームをフーリエ変換して信号情報を形成した上で、それぞれの信号情報から複数の特徴値を捕捉し、かかる特徴値を複数の第１信号データ、複数の第２信号データ、複数の第３信号データ及び複数の第４信号データと比較を行う。時間間隔は０．２〜０．５秒に設定する。これにより、データベース１３に格納されたデータに一致するかをより精確に判断できるようになり、装置の稼働負荷を軽減できる。一方、音声モジュール１４は、音声周波数が８５〜３９０Ｈｚの音声情報のみを受信するため、不要な音声判断を取り除き、装置の稼働負荷をさらに軽減できる。
【００２７】
以上に説明したものは、本考案の好ましい実施形態であり、本考案の実施範囲に制限を加わるものではない。よって、本考案の精神と範囲を逸脱しない限り、当技術分野における一般知識を有する者、または本考案の技術に熟知する者が行ういかなる等効果変化や修飾であっても、本考案の権利請求範囲に含まれる。
【符号の説明】
【００２８】
１    玄関灯の感知制御装置
１１  光源オン・オフモジュール
１２  輝度制御モジュール
１３  データベース
１４  音声モジュール
１５  解析モジュール
１６  遠隔信号受信モジュール
１７  赤外線検出モジュール
１８  マイコン制御モジュール
１９  光センサーモジュール
２    玄関灯
２１  光源
３    音声情報
４    携帯装置
【図１】
0003197058.tif 000003
【図２】
0003197058.tif 000004
【図３】
0003197058.tif 000005